(57)【要約】【課題】ボトルの外観を良好にし、意匠性を向上させることが可能な、プリフォーム絵柄の作成方法を提供する。【解決手段】プリフォーム絵柄の作成方法は、平面基準パターンｄ３を作成する工程と、基準プリフォーム７０１を作製する工程と、基準プリフォーム７０１をブロー成形して、基準ボトル１０１を作製する工程と、基準ボトルパターンＤ２を投影面Ｓ上に投影し、基準ボトル投影パターンＤ３を得る工程と、基準ボトル投影パターンＤ３を平面基準パターンｄ３へ変換する補正係数を求める工程と、基準ボトル投影パターンＤ３上にボトル絵柄Ｄ１を作成する工程と、ボトル絵柄Ｄ１に基づいて、補正係数を用いて平面絵柄ｄ５を得る工程と、平面絵柄ｄ５をプリフォーム１０ａに印刷することにより、プリフォーム絵柄ｄ１を得る工程とを備えている。【選択図】図６
2019126945.tif 000002
【特許請求の範囲】
【請求項１】
プリフォームに形成されるプリフォーム絵柄の作成方法において、
複数の基準点をもった平面基準パターンを作成する工程と、
前記平面基準パターンをプリフォームに印刷することにより、複数の前記基準点をもった基準プリフォームパターンを含む基準プリフォームを作製する工程と、
前記基準プリフォームをブロー成形して、複数の前記基準点をもった基準ボトルパターンが形成された基準ボトルを作製する工程と、
前記基準ボトルパターンを投影面上に投影し、投影された基準ボトル投影パターンを得る工程と、
前記基準ボトルの前記基準ボトル投影パターンと、前記平面基準パターンとから、前記基準ボトル投影パターンを前記平面基準パターンへ変換する補正係数を求める工程と、
前記基準ボトル投影パターン上にボトル絵柄を作成する工程と、
前記ボトル絵柄に基づいて、前記補正係数を用いて平面絵柄を得る工程と、
前記平面絵柄をプリフォームに印刷することにより、プリフォーム絵柄を得る工程とを備えたことを特徴とするプリフォーム絵柄の作成方法。
【請求項２】
前記投影面は、平面であることを特徴とする請求項１に記載のプリフォーム絵柄の作成方法。
【請求項３】
前記投影面は、円筒面であることを特徴とする請求項１に記載のプリフォーム絵柄の作成方法。
【請求項４】
前記補正係数を求める工程において、前記補正係数は、複数の前記基準点の変位量に基づいて決定されることを特徴とする請求項１乃至３のいずれか一項に記載のプリフォーム絵柄の作成方法。
【請求項５】
プリフォームに形成されるプリフォーム絵柄を作成するために用いられる基準プリフォームにおいて、
口部と、前記口部に連結された胴部と、前記胴部に連結された底部とを有するプリフォームを備え、
少なくとも前記胴部に、複数の基準点をもった基準プリフォームパターンが形成されていることを特徴とする基準プリフォーム。
【請求項６】
前記基準プリフォームの前記プリフォームは、前記プリフォーム絵柄が形成される前記プリフォームと同一の形状を有するとともに、同一の材料を含むことを特徴とする請求項５に記載の基準プリフォーム。
【請求項７】
請求項５または６に記載の基準プリフォームに対してブロー成形を施すことによって作製されたことを特徴とする基準ボトル。
【請求項８】
絵柄付プリフォームの製造方法において、
プラスチック材料製のプリフォームを準備する工程と、
請求項１乃至４のいずれか一項に記載のプリフォーム絵柄の作成方法によって、前記プリフォームにプリフォーム絵柄を形成する工程とを備えたことを特徴とする絵柄付プリフォームの製造方法。
【請求項９】
前記プリフォームは、ポリエチレンテレフタレートを含むことを特徴とする請求項８に記載の絵柄付プリフォームの製造方法。
【請求項１０】
絵柄付ボトルの製造方法において、
プラスチック材料製のプリフォームを準備する工程と、
請求項１乃至４のいずれか一項に記載のプリフォーム絵柄の作成方法によって、前記プリフォームにプリフォーム絵柄を形成することにより、絵柄付プリフォームを作製する工程と、
前記絵柄付プリフォームに対してブロー成形を施すことにより、前記プリフォームを膨張させ、口部と胴部と底部とを有する容器本体を作製する工程とを備えたことを特徴とする絵柄付ボトルの製造方法。
【請求項１１】
前記容器本体は、ポリエチレンテレフタレートを含むことを特徴とする請求項１０に記載の絵柄付ボトルの製造方法。
【請求項１２】
口部と、前記口部に連結された胴部と、前記胴部に連結された底部とを有するプリフォームを備え、
少なくとも前記胴部に、請求項１乃至４のいずれか一項に記載のプリフォーム絵柄の作成方法によって作成されたプリフォーム絵柄が形成されていることを特徴とする絵柄付プリフォーム。
【請求項１３】
前記プリフォームは、ポリエチレンテレフタレートを含むことを特徴とする請求項１２に記載の絵柄付プリフォーム。
【請求項１４】
口部と胴部と底部とを有する容器本体を備えた絵柄付ボトルにおいて、
請求項１２または１３に記載の絵柄付プリフォームに対してブロー成形を施すことによって作製されたことを特徴とする絵柄付ボトル。
【請求項１５】
前記容器本体は、ポリエチレンテレフタレートを含むことを特徴とする請求項１４に記載の絵柄付ボトル。
【発明の詳細な説明】
【技術分野】
【０００１】
本発明は、プリフォーム絵柄の作成方法、基準プリフォーム、基準ボトル、絵柄付プリフォームの製造方法、絵柄付ボトルの製造方法、絵柄付プリフォームおよび絵柄付ボトルに関する。
【背景技術】
【０００２】
近時、内容液を収容するボトルとして、プラスチック製のものが一般化してきており、このようなプラスチックボトルには内容液が収容される。
【０００３】
このような内容液を収容するプラスチックボトルは、金型内にプリフォームを挿入し、二軸延伸ブロー成形することにより製造される。
【０００４】
また、一般に、従来のプラスチックボトルにおいては、プラスチックボトルの胴部に、減圧吸収パネル等の機能的な凹凸のほか、意匠性をもつ模様等の凹凸を付与することが行われている。この場合、容器に対して内容液を充填した後、キャップを用いて容器を密栓し、ラベラーを用いて容器の周囲にラベルを付与することが一般的である（例えば特許文献１）。
【先行技術文献】
【特許文献】
【０００５】
【特許文献１】特開２０１６−１３７９２７号公報
【０００６】
一方、このようなボトルを作製するにあたっては、ボトルにおける外観をより良好にし、意匠性を向上させ、消費者にとってより魅力のある外観を提案することが求められている。
【発明の概要】
【発明が解決しようとする課題】
【０００７】
本発明はこのような点を考慮してなされたものであり、ボトルの外観を良好にし、意匠性を向上させることが可能な、プリフォーム絵柄の作成方法、基準プリフォーム、基準ボトル、絵柄付プリフォームの製造方法、絵柄付ボトルの製造方法、絵柄付プリフォームおよび絵柄付ボトルを提供することを目的とする。
【課題を解決するための手段】
【０００８】
本発明は、プリフォームに形成されるプリフォーム絵柄の作成方法において、複数の基準点をもった平面基準パターンを作成する工程と、前記平面基準パターンをプリフォームに印刷することにより、複数の前記基準点をもった基準プリフォームパターンを含む基準プリフォームを作製する工程と、前記基準プリフォームをブロー成形して、複数の前記基準点をもった基準ボトルパターンを含む基準ボトルを作製する工程と、前記基準ボトルパターンを投影面上に投影し、投影された基準ボトル投影パターンを得る工程と、前記基準ボトルの前記基準ボトル投影パターンと、前記平面基準パターンとから、前記基準ボトル投影パターンを前記平面基準パターンへ変換する補正係数を求める工程と、前記基準ボトル投影パターン上にボトル絵柄を作成する工程と、前記ボトル絵柄に基づいて、前記補正係数を用いて平面絵柄を得る工程と、前記平面絵柄をプリフォームに印刷することにより、プリフォーム絵柄を得る工程とを備えたことを特徴とするプリフォーム絵柄の作成方法である。
【０００９】
本発明は、前記投影面は、平面であることを特徴とするプリフォーム絵柄の作成方法である。
【００１０】
本発明は、前記投影面は、円筒面であることを特徴とするプリフォーム絵柄の作成方法である。
【００１１】
本発明は、前記補正係数を求める工程において、前記補正係数は、複数の前記基準点の変位量に基づいて決定されることを特徴とするプリフォーム絵柄の作成方法である。
【００１２】
本発明は、プリフォームに形成されるプリフォーム絵柄を作成するために用いられる基準プリフォームにおいて、口部と、前記口部に連結された胴部と、前記胴部に連結された底部とを有するプリフォームを備え、少なくとも前記胴部に、複数の基準点をもった基準プリフォームパターンが形成されていることを特徴とする基準プリフォームである。
【００１３】
本発明は、前記基準プリフォームの前記プリフォームは、前記プリフォーム絵柄が形成される前記プリフォームと同一の形状を有するとともに、同一の材料を含むことを特徴とする基準プリフォームである。
【００１４】
本発明は、本発明による基準プリフォームに対してブロー成形を施すことによって作製されたことを特徴とする基準ボトルである。
【００１５】
本発明は、絵柄付プリフォームの製造方法において、プラスチック材料製のプリフォームを準備する工程と、本発明によるプリフォーム絵柄の作成方法によって、前記プリフォームにプリフォーム絵柄を形成する工程とを備えたことを特徴とする絵柄付プリフォームの製造方法である。
【００１６】
本発明は、前記プリフォームは、ポリエチレンテレフタレートを含むことを特徴とする絵柄付プリフォームの製造方法である。
【００１７】
本発明は、絵柄付ボトルの製造方法において、プラスチック材料製のプリフォームを準備する工程と、本発明によるプリフォーム絵柄の作成方法によって、前記プリフォームにプリフォーム絵柄を形成することにより、絵柄付プリフォームを作製する工程と、前記絵柄付プリフォームに対してブロー成形を施すことにより、前記プリフォームを膨張させ、口部と胴部と底部とを有する容器本体を作製する工程とを備えたことを特徴とする絵柄付ボトルの製造方法である。
【００１８】
本発明は、前記容器本体は、ポリエチレンテレフタレートを含むことを特徴とする絵柄付ボトルの製造方法である。
【００１９】
本発明は、口部と、前記口部に連結された胴部と、前記胴部に連結された底部とを有するプリフォームを備え、
少なくとも前記胴部に、本発明によるプリフォーム絵柄の作成方法によって作成されたプリフォーム絵柄が形成されていることを特徴とする絵柄付プリフォームである。
【００２０】
本発明は、前記プリフォームは、ポリエチレンテレフタレートを含むことを特徴とする絵柄付プリフォームである。
【００２１】
本発明は、口部と胴部と底部とを有する容器本体を備えた絵柄付ボトルにおいて、本発明による絵柄付プリフォームに対してブロー成形を施すことによって作製されたことを特徴とする絵柄付ボトルである。
【００２２】
本発明は、前記容器本体は、ポリエチレンテレフタレートを含むことを特徴とする絵柄付ボトルである。
【発明の効果】
【００２３】
本発明によれば、ボトルの外観を良好にし、意匠性を向上させることができる。
【図面の簡単な説明】
【００２４】
【図１】図１は、本発明の一実施の形態による絵柄付ボトルを示す正面図である。
【図２】図２は、本発明の一実施の形態による絵柄付プリフォームを示す正面図である。
【図３】図３は、本発明の一実施の形態による基準ボトルを示す正面図である。
【図４Ａ】図４Ａは、本発明の一実施の形態による基準プリフォームを示す正面図である。
【図４Ｂ】図４Ｂは、本発明の一実施の形態による基準プリフォームの基準プリフォームパターンを形成するための平面基準パターンを示す図である。
【図４Ｃ】図４Ｃは、本発明の一実施の形態による基準プリフォームの基準プリフォームパターンを投影して得られた基準プリフォーム投影パターンを示す図である。
【図５Ａ】図５Ａは、本発明の一実施の形態によるプリフォーム絵柄の作成方法を示す図である。
【図５Ｂ】図５Ｂ（ａ）−（ｃ）は、本発明の一実施の形態によるプリフォーム絵柄の作成方法を示す概略図である。
【図６】図６（ａ）−（ｃ）は、本発明の一実施の形態によるプリフォーム絵柄の作成方法を示す概略図である。
【図７】図７（ａ）−（ｂ）は、本発明の一実施の形態によるプリフォーム絵柄の作成方法を示す概略図である。
【図８】図８（ａ）−（ｃ）は、本発明の一実施の形態によるプリフォーム絵柄の作成方法を示す概略図である。
【図９】図９（ａ）−（ｂ）は、本発明の一実施の形態によるプリフォーム絵柄の作成方法を示す概略図である。
【図１０】図１０は、本発明の一実施の形態による絵柄付プリフォームおよび絵柄付ボトルの製造方法を示す図である。
【図１１】図１１（ａ）−（ｄ）は、プリフォーム絵柄の作成方法の変形例を示す概略図である。
【発明を実施するための形態】
【００２５】
以下、図面を参照して本発明の一実施の形態について説明する。図１乃至図１０は本発明の一実施の形態を示す図である。
【００２６】
（絵柄付ボトルの構成）
まず、図１により、本実施の形態による絵柄付ボトルの概要について説明する。なお、本明細書中、「上」および「下」とは、それぞれ絵柄付ボトル１００を正立させた状態（図１）における上方および下方のことをいう。また、本明細書中、「絵柄」とは、文字、図形、記号、模様若しくは色彩又はこれらの結合をいう。
【００２７】
図１に示す絵柄付ボトル１００は、後述するように、ブロー成形金型を用いて絵柄付プリフォーム７００（図２参照）に対して二軸延伸ブロー成形を施すことにより、絵柄付プリフォーム７００を膨張させて得られたものである。
【００２８】
このような絵柄付ボトル１００は、プラスチック材料製の容器本体１０を備えており、容器本体１０にボトル絵柄Ｄ１が形成されている。
【００２９】
このような容器本体１０は、口部１１と、口部１１下方に設けられた首部１３と、首部１３下方に設けられた肩部１２と、肩部１２下方に設けられた胴部２０と、胴部２０下方に設けられた底部３０とを備えている。
【００３０】
このうち口部１１は、図示しないキャップに螺着されるねじ部１４と、ねじ部１４下方に設けられたフランジ部１７とを有している。なお、口部１１の形状は、従来公知の形状であっても良い。
【００３１】
首部１３は、フランジ部１７と肩部１２との間に位置しており、略均一な径をもつ略円筒形状を有している。また、肩部１２は、首部１３と胴部２０との間に位置しており、首部１３側から胴部２０側に向けて徐々に径が拡大する形状を有している。
【００３２】
さらに、胴部２０は、全体として略均一な径をもつ円筒形状を有している。しかしながら、これに限られるものではなく、胴部２０が四角形筒形状や八角形筒形状等の多角形筒形状を有していても良い。あるいは、胴部２０が上方から下方に向けて均一でない水平断面をもつ筒形状を有していても良い。また、本実施の形態において、胴部２０は、凹凸が形成されておらず、略平坦な表面を有しているが、これに限られるものではない。例えば、胴部２０にパネル又は溝等の凹凸が形成されていても良い。
【００３３】
一方、底部３０は、中央に位置する凹部３１と、この凹部３１周囲に設けられた接地部３２とを有している。なお、底部３０の形状についても特に限定されるものではなく、従来公知の底部形状（例えばペタロイド底形状や丸底形状等）を有していても良い。
【００３４】
また胴部２０における容器本体１０の厚みは、これに限定されるものではないが、例えば５０μｍ以上２５０μｍ以下程度に薄くすることができる。さらに、容器本体１０の重量についても、これに限定されるものではないが、１０ｇ以上２０ｇ以下とすることができる。このように容器本体１０の肉厚を薄くすることにより、容器本体１０の軽量化を図ることができる。
【００３５】
このような容器本体１０は、合成樹脂材料を射出成形して製作したプリフォーム１０ａ（後述）を二軸延伸ブロー成形することにより作製することができる。なおプリフォーム１０ａ、すなわち容器本体１０の材料としては熱可塑性樹脂、特にＰＥ（ポリエチレン）、ＰＰ（ポリプロピレン）、ＰＥＴ（ポリエチレンテレフタレート）、ＰＥＮ（ポリエチレンナフタレート）、ＰＣ（ポリカーボネート）を使用することが好ましい。容器本体１０は、赤色、青色、黄色、緑色、茶色、黒色、白色等の色に着色されていても良い。また、上述した各種樹脂をブレンドして用いても良い。さらに、容器本体１０の内面に、容器のバリア性を高めるために、例えばダイヤモンド状炭素膜や酸化珪素薄膜等の蒸着膜を形成しても良い。
【００３６】
また、容器本体１０は、２層以上の多層成形ボトルとして形成することもできる。すなわち押し出し成形または射出成形により、例えば、中間層をＭＸＤ６、ＭＸＤ６＋脂肪酸塩、ＰＧＡ（ポリグリコール酸）、ＥＶＯＨ（エチレンビニルアルコール共重合体）又はＰＥＮ（ポリエチレンナフタレート）等のガスバリア性及び遮光性を有する樹脂（中間層）として３層以上からなる絵柄付プリフォーム７００を成形した後、ブロー成形することによりガスバリア性及び遮光性を有する多層ボトルとして形成しても良い。なお、中間層としては、上述した各種樹脂をブレンドした樹脂を用いても良い。
【００３７】
また、熱可塑性樹脂の溶融物に不活性ガス（窒素ガス、アルゴンガス）を混ぜることで、０．５μｍ以上１００μｍ以下の発泡セル径を持つ発泡プリフォームを成形し、この発泡プリフォームをブロー成形することによって、容器本体１０を作製しても良い。このような容器本体１０は、発泡セルを内蔵しているため、容器本体１０全体の遮光性を高めることができる。
【００３８】
このような容器本体１０は、例えば満注容量が１００ｍｌ以上２０００ｍｌ以下のボトルからなっていても良い。あるいは、容器本体１０は、満注容量が例えば１０Ｌ以上６０Ｌ以下の大型のボトルであっても良い。
【００３９】
次に、ボトル絵柄Ｄ１について説明する。このボトル絵柄Ｄ１は、後述するように、絵柄付プリフォーム７００（図２参照）に対して二軸延伸ブロー成形を施すことにより絵柄付プリフォーム７００を膨張させた際に、絵柄付プリフォーム７００のプリフォーム１０ａに印刷された後述するプリフォーム絵柄ｄ１（図２参照）が延伸して作成されたものである。図１に示す例においては、ボトル絵柄Ｄ１は、絵柄付ボトル１００の軸線方向（上下方向）に沿って、容器本体１０の胴部２０に設けられた文字「ａｂｃ」と、絵柄付ボトル１００の円周方向に沿って、容器本体１０の肩部１２に設けられた文字「ＡＢＣ」とによって構成されている。
【００４０】
このようなボトル絵柄Ｄ１は、容器本体１０のフランジ部１７の下端部から底部３０の接地部３２までの長さをＬとした場合、フランジ部１７の下端部から１／３Ｌ以内の範囲内に設けられていても良い。フランジ部１７の下端部から１／３Ｌ以内の範囲内には、一般的に容器本体１０の肩部１２が存在し、この肩部１２は、従来のプラスチックボトルにおいては、容器の周囲に付与されたラベルが設けられていない領域となる。本実施の形態のように、従来ラベルが設けられていない領域にボトル絵柄Ｄ１を形成することにより、絵柄付ボトル１００における外観をより良好にし、意匠性を向上させることができる。
【００４１】
また、このようなボトル絵柄Ｄ１は、容器本体１０の首部１３、肩部１２、胴部２０および底部３０の全域に設けられていても良く、この場合、容器本体１０の首部１３、肩部１２、胴部２０および底部３０に対して所望の意匠性を付与することができる。
【００４２】
なお、ここでは、ボトル絵柄Ｄ１が、絵柄付ボトル１００の軸線方向に沿って設けられた文字「ａｂｃ」と、絵柄付ボトル１００の円周方向に沿って設けられた文字「ＡＢＣ」とによって構成されている例について説明したが、これに限られることはなく、ボトル絵柄Ｄ１は任意に変更することができる。
【００４３】
（絵柄付プリフォームの構成）
次に、図２により、本実施の形態による絵柄付プリフォームの構成について説明する。
【００４４】
図２に示すように、絵柄付プリフォーム７００は、プラスチック材料製のプリフォーム１０ａを備えており、プリフォーム１０ａにプリフォーム絵柄ｄ１が形成されている。
【００４５】
図２に示すように、プリフォーム１０ａは、口部１１ａと、口部１１ａに連結された胴部２０ａと、胴部２０ａに連結された底部３０ａとを備えている。口部１１ａは、上述した容器本体１０の口部１１に対応するものであり、口部１１と略同一の形状を有している。また、口部１１ａは、容器本体１０のねじ部１４に対応するねじ部１４ａと、ねじ部１４ａの下方に設けられ、容器本体１０のフランジ部１７に対応するフランジ部１７ａとを有している。なお、口部１１ａの形状は、従来公知の形状であってもよい。また、胴部２０ａは、上述した容器本体１０の首部１３、肩部１２および胴部２０に対応するものであり、略円筒形状を有している。底部３０ａは、上述した容器本体１０の底部３０に対応するものであり、略半球形状を有している。
【００４６】
この場合、プリフォーム１０ａは、赤色、青色、黄色、緑色、茶色、黒色、白色等の可視光色に着色されていても良く、また透明であっても不透明であっても良い。
【００４７】
次に、プリフォーム絵柄ｄ１について説明する。このプリフォーム絵柄ｄ１は、後述するように、平面絵柄ｄ５（図９（ｂ）参照）をプリフォーム１０ａに印刷したものである。図２に示す例においては、プリフォーム１０ａの軸線方向（上下方向）に沿って胴部２０ａに設けられた文字「ａｂｃ」と、プリフォーム１０ａの円周方向に沿って胴部２０ａに設けられた文字「ＡＢＣ」とによって構成されている。
【００４８】
このようなプリフォーム絵柄ｄ１は、プリフォーム１０ａのフランジ部１７ａの下端部から底部３０ａの下端部までの長さをＬａとした場合、フランジ部１７ａの下端部から１／２Ｌａ以内の範囲内に設けられていても良い。フランジ部１７ａの下端部から１／２Ｌａ以内の範囲内は、一般的に容器本体１０の肩部１２が存在する領域に対応する。ここで、容器本体１０の肩部１２は、胴部２０よりも径が小さくなっており、プリフォーム１０ａの円周方向への延伸倍率が小さくなる部分となる。このため、当該部分に形成されたプリフォーム絵柄ｄ１については、後述する補正係数を求め易くすることができ、容器本体１０において、当該部分に対応する部分に形成されるボトル絵柄Ｄ１の形状精度を高くすることができる。
【００４９】
このようなプリフォーム絵柄ｄ１は、プリフォーム１０ａの胴部２０ａおよび底部３０ａの全域に設けられていても良い。
【００５０】
図２に示すように、プリフォーム絵柄ｄ１は、図１に示すボトル絵柄Ｄ１と比較した際に、歪んだ絵柄となっている。このように、絵柄付プリフォーム７００のプリフォーム絵柄ｄ１を歪んだ絵柄にすることにより、絵柄付ボトル１００を作製した際に、ボトル絵柄Ｄ１の形状を歪みのない形状に整えることができる。すなわち、絵柄付プリフォーム７００にブロー成形を施し、絵柄付ボトル１００を作製する際、プリフォーム１０ａの胴部２０ａおよび底部３０ａにおいて延伸倍率が異なる領域が発生する。とりわけ、プリフォーム１０ａの胴部２０ａのうち、容器本体１０の肩部１２および胴部２０に対応する領域においては、プリフォーム１０ａの延伸倍率の違いが大きくなる。これにより、絵柄付プリフォーム７００において印刷された絵柄の形状を歪みのない形状に整えた場合であっても、絵柄付ボトル１００を作製した際に当該絵柄が歪んでしまう場合がある。これに対して予め絵柄付プリフォーム７００のプリフォーム絵柄ｄ１を歪んだ絵柄にすることにより、絵柄付ボトル１００を作製した際に、ボトル絵柄Ｄ１の形状を歪みのない形状に整えることができる。このようなプリフォーム絵柄ｄ１は、ボトル絵柄Ｄ１に後述する補正係数を適用することにより作成される。
【００５１】
また、このようなプリフォーム絵柄ｄ１は、平面絵柄ｄ５に基づいて、例えばインクジェット法、グラビア印刷法、オフセット印刷法、フレキソ印刷法、スクリーン印刷法等の印刷法や、熱転写により、デザイン又は印字等が施されて形成されたものである。例えばインクジェット法を用いる場合、プリフォーム絵柄ｄ１は、プリフォーム１０ａに対してＵＶ硬化型インクを塗布し、これにＵＶ照射を行い、硬化させることにより形成することができる。プリフォーム絵柄ｄ１をプリフォーム１０ａに印刷するためのインクは、３００％以上の延伸性を有していることが好ましい。これにより、プリフォーム絵柄ｄ１が延伸されて形成されるボトル絵柄Ｄ１を明確に表示させることができる。
【００５２】
このように、プリフォーム１０ａにプリフォーム絵柄ｄ１を形成することにより、容器本体１０の胴部２０に減圧吸収パネル等の凹凸や意匠性をもつ模様等の凹凸が付与される場合であっても、当該凹凸の形状にボトル絵柄Ｄ１を追従させることができる。このため、意匠性を向上させることができる。
【００５３】
次に、上述した絵柄付プリフォーム７００に形成されるプリフォーム絵柄ｄ１を作成するための基準ボトルおよび基準プリフォームについて説明する。
【００５４】
（基準ボトルの構成）
まず、基準ボトルについて説明する。
【００５５】
図３に示すように、基準ボトル１０１は、上述した容器本体１０を備えており、容器本体１０に、複数の基準点Ｐをもった基準ボトルパターンＤ２が形成されている。
【００５６】
基準ボトルパターンＤ２は、後述するように、基準プリフォーム７０１（図４Ａ参照）に対して二軸延伸ブロー成形を施すことにより基準プリフォーム７０１を膨張させた際に、基準プリフォーム７０１のプリフォーム１０ａに形成された後述する基準プリフォームパターンｄ２（図４Ａ参照）が延伸して作成されたものである。この基準ボトルパターンＤ２は、基準プリフォームパターンｄ２と比較した際に、歪んだパターンとなっている。これは、基準プリフォーム７０１にブロー成形を施し、基準ボトル１０１を作製した際に、プリフォーム１０ａの胴部２０ａおよび底部３０ａにおいて延伸倍率が異なる領域が発生し、基準プリフォームパターンｄ２が歪むためである。このため、基準ボトルパターンＤ２と基準プリフォームパターンｄ２とを比較することにより、プリフォーム１０ａの胴部２０ａおよび底部３０ａにおける延伸倍率の差を求めることができる。
【００５７】
（基準プリフォームの構成）
次に、基準プリフォーム７０１について説明する。
【００５８】
図４Ａに示すように、基準プリフォーム７０１は、上述したプリフォーム１０ａを備えており、プリフォーム１０ａに、複数の基準点Ｐをもった基準プリフォームパターンｄ２が形成されている。ここで、基準プリフォーム７０１のプリフォーム１０ａは、絵柄付プリフォーム７００のプリフォーム１０ａと同一であることが好ましく、基準プリフォーム７０１のプリフォーム１０ａは、絵柄付プリフォーム７００のプリフォーム１０ａと同一の形状を有するとともに、同一の材料を含んでいることが好ましい。この場合、基準プリフォーム７０１から基準ボトル１０１が作製される際のプリフォーム１０ａの延伸倍率と、絵柄付プリフォーム７００から絵柄付ボトル１００が作製される際のプリフォーム１０ａの延伸倍率とを同様にすることができる。これにより、後述する補正係数の信頼性を向上させることができ、ボトル絵柄Ｄ１の形状精度を向上させることができる。
【００５９】
基準プリフォームパターンｄ２は、複数の基準点Ｐをもった平面基準パターンｄ３（図４Ｂ参照）をプリフォーム１０ａに印刷することにより形成されたものである。図４Ｂに示す例においては、平面基準パターンｄ３は、略正方格子状のパターンとなっている。この場合、平面基準パターンｄ３は、直線および点のうち少なくとも一方を含む幾何学模様から構成されており、本実施の形態においては、直線および点から構成された同一形状の格子が規則的に複数配置されている。このようなパターンの場合、平面基準パターンｄ３をプリフォーム１０ａに印刷することにより形成される基準プリフォームパターンｄ２を、図４Ａに示すように、直線および点のうち少なくとも一方を含む幾何学模様から構成することができる。これにより、基準プリフォームパターンｄ２から形成される基準ボトルパターンＤ２を直線および点のうち少なくとも一方を含む幾何学模様から構成することができ、基準ボトルパターンＤ２の検出精度を高めることができる。このため、後述する補正係数を精度良く求めることができ、ボトル絵柄Ｄ１の形状精度を向上させることができる。
【００６０】
このような平面基準パターンｄ３は、上述したように複数の基準点Ｐをもっており、各基準点Ｐの座標値の集合からなるデータは、図示しない画像処理装置に予め記録されている。
【００６１】
また、基準プリフォームパターンｄ２および平面基準パターンｄ３が、このような略正方格子状のパターンである場合、基準点Ｐは例えば格子の各交点、すなわち、各正方形の四頂点とすることができる。基準プリフォームパターンｄ２および平面基準パターンｄ３が正方格子状のパターンである場合、平面基準パターンｄ３において、パターンの正方形の一辺は、例えば０．５ｍｍ以上２．０ｍｍ以下とすることができる。また、パターンの正方形の一辺を１ｍｍ以上とすることにより、後述する補正係数を求める処理を短縮することができる。また、パターンの正方形の一辺を１ｍｍ以下とすることにより、プリフォーム１０ａの胴部２０ａおよび底部３０ａにおける延伸倍率の差をより正確に求めることができ、ボトル絵柄Ｄ１に歪みが発生することを抑制できる。また、上述した基準ボトル１０１において、容器本体１０の胴部２０に減圧吸収パネルなどの凹凸や意匠性をもつ模様等の凹凸が付与される場合、当該凹凸内に少なくとも１点以上の基準点Ｐが存在するようにパターンの正方形の一辺を調整することが好ましい。これにより、当該凹凸の形状に対してボトル絵柄Ｄ１を精度よく追従させることができる。なお、ここでは、正方格子状の基準プリフォームパターンｄ２および平面基準パターンｄ３を用いた例を示すが、複数の基準点Ｐをもったパターンであれば、基準プリフォームパターンｄ２および平面基準パターンｄ３のパターンは特に限定されない。このようなパターンとして、例えば、チェス盤状のパターン（市松模様）であっても良く、基準点Ｐのみからなるパターンを使用しても良い。また、図４Ａおよび図４Ｂに示す例においては、基準プリフォームパターンｄ２および平面基準パターンｄ３のパターンが、直線および点のうち少なくとも一方を含む幾何学模様から構成されている例について説明したが、これに限られない。例えば、基準プリフォームパターンｄ２および平面基準パターンｄ３が、曲線および点のうち少なくとも一方を含む幾何学模様から構成されていても良い。この場合においても、基準プリフォームパターンｄ２から作成される基準ボトルパターンＤ２を曲線および点のうち少なくとも一方を含む幾何学模様から構成することができ、基準ボトルパターンＤ２において、曲線および点から構成された図形が規則的に複数配置されることにより、基準ボトルパターンＤ２の検出精度を高めることができる。また、幾何学模様を構成する図形が規則的に複数配置される場合、各々の図形が同一形状ではなく、異なる形状を有していても良い。
【００６２】
なお、この場合、図４Ｃに示すように、基準プリフォーム７０１の基準プリフォームパターンｄ２を平面ＳＡ上に投影した基準プリフォーム投影パターンｄ４は、平面基準パターンｄ３と略同一のパターンから構成され、直線および点のうち少なくとも一方を含む幾何学模様から構成されている。
【００６３】
このような基準プリフォームパターンｄ２は、平面基準パターンｄ３に基づいて、例えばインクジェット法、グラビア印刷法、オフセット印刷法、フレキソ印刷法、スクリーン印刷法等の印刷法や、熱転写により、デザイン又は印字等が施されて形成されたものである。基準プリフォームパターンｄ２をプリフォーム１０ａに印刷するためのインクは、プリフォーム絵柄ｄ１に用いられるインクと同様のものを使用することができる。
【００６４】
また、上述したように、プリフォーム１０ａは、赤色、青色、黄色、緑色、茶色、黒色、白色等の可視光色に着色されていても良く、また透明であっても不透明であっても良いため、基準プリフォームパターンｄ２は、プリフォーム１０ａの色とのコントラストが大きい色を選択することが好ましい。これにより、基準プリフォーム７０１にブロー成形を施し、基準ボトル１０１を作製した際に、基準プリフォームパターンｄ２から形成される基準ボトルパターンＤ２の検出精度を高めることができ、後述する補正係数を精度良く求めることができる。このため、ボトル絵柄Ｄ１の形状精度を向上させることができる。さらに、基準プリフォームパターンｄ２は、赤色で印刷されていることが好ましい。ここで、後述するように、基準プリフォーム７０１をブロー成形して基準ボトル１０１を作製する際、基準プリフォーム７０１を、図示しない加熱装置によって加熱した後、図示しないブロー成形金型に送る。この場合、加熱装置において近赤外線ヒーターを使用する場合がある。このような場合、基準プリフォームパターンｄ２が、赤色で印刷されていることにより、近赤外線ヒーターによる影響を受けにくくすることができる。
【００６５】
次に、このような構成からなる本実施の形態の作用について説明する。ここでは、プリフォーム絵柄の作成方法並びに絵柄付プリフォームおよび絵柄付ボトルの製造方法について説明する。
【００６６】
（プリフォーム絵柄の作成方法）
まず、図５Ａ、図５Ｂ（ａ）−（ｃ）、図６（ａ）−（ｃ）、図７（ａ）−（ｂ）、図８（ａ）−（ｃ）および図９（ａ）−（ｂ）により、本実施の形態によるプリフォーム絵柄の作成方法について説明する。
【００６７】
まず、プリフォーム１０ａに基準プリフォームパターンｄ２を形成するための、複数の基準点Ｐをもった平面基準パターンｄ３を作成する（図５Ａの符合Ｓ１）。この平面基準パターンｄ３は、図５Ｂ（ａ）に示すように、例えば正方格子状のパターンとすることができ、基準点Ｐは格子の各交点とすることができる。なお、この際、平面基準パターンｄ３の複数の基準点Ｐの各座標値の集合からなるデータは、図示しない画像処理装置に記録される。
【００６８】
次に、平面基準パターンｄ３をプリフォーム１０ａに印刷することにより、複数の基準点Ｐをもった基準プリフォームパターンｄ２が形成された基準プリフォーム７０１を作製する（図５Ａの符号Ｓ２）。この際、まず、プラスチック材料製のプリフォーム１０ａを準備する。この場合、例えば図示しない射出成形機を用いて、射出成形法によりプリフォーム１０ａを作製する。このプリフォーム１０ａは、口部１１ａと、円筒状の胴部２０ａと、略半球状の底部３０ａとを有している。なお、プリフォーム１０ａは、平面基準パターンｄ３を作成することと並行して準備するようにしても良い。次に、このプリフォーム１０ａに平面基準パターンｄ３を印刷する。このようにして、図５Ｂ（ｂ）に示すように、基準プリフォームパターンｄ２が形成された基準プリフォーム７０１が作製される。
【００６９】
次に、基準プリフォーム７０１をブロー成形して、複数の基準点Ｐをもった基準ボトルパターンＤ２が形成された基準ボトル１０１を作製する（図５Ａの符号Ｓ３）。この際、基準プリフォーム７０１を、図示しない加熱装置によって加熱した後、図示しないブロー成形金型に送る。次に、基準プリフォーム７０１内に空気が圧入され、基準プリフォーム７０１に対して二軸延伸ブロー成形が施される。この際、基準プリフォーム７０１が膨張し、基準プリフォーム７０１の基準プリフォームパターンｄ２が延伸する。このようにして、基準プリフォームパターンｄ２が延伸した基準ボトルパターンＤ２が形成された基準ボトル１０１が得られる。なお、この際、プリフォーム１０ａの胴部２０ａまたは底部３０ａにおいて、延伸倍率が異なる領域が発生する。このため、図５Ｂ（ｃ）に示すように、基準ボトルパターンＤ２は、基準プリフォームパターンｄ２を歪めたような形状のパターンとなる。
【００７０】
次いで、基準ボトル１０１の基準ボトルパターンＤ２を投影面上に投影し、投影された基準ボトル投影パターンＤ３を得る（図５Ａの符号Ｓ４）。この場合、まず、図６（ａ）に示すように、投影面Ｓを準備する。この投影面Ｓは、例えば基準ボトル１０１の軸線方向（上下方向）に平行な平面とすることができる。次に、図６（ｂ）に示すように、この投影面Ｓに基準ボトルパターンＤ２を投影する。これにより、図６（ｃ）に示すように、基準プリフォームパターンｄ２が歪められた基準ボトル投影パターンＤ３が得られる。このような基準ボトル投影パターンＤ３は、例えばカメラにより撮影された基準ボトル１０１の正面画像であっても良い。
【００７１】
次に、基準ボトル１０１の基準ボトル投影パターンＤ３と、平面基準パターンｄ３とから、基準ボトル投影パターンＤ３を平面基準パターンｄ３へ変換する補正係数を求める（図５Ａの符号Ｓ５）。この際、補正係数は、複数の基準点Ｐの変位量に基づいて決定される。この場合、まず、例えば図７（ａ）に示すように、図示しない画像処理装置において、基準ボトル投影パターンＤ３の各基準点Ｐの位置が検出される。例えば、図７（ａ）に示す例においては、基準点Ｐ１、Ｐ２、Ｐ３、Ｐ４の位置が、座標値（ｘ１、ｙ１）、（ｘ２、ｙ２）、（ｘ３、ｙ３）、（ｘ４、ｙ４）として検出される。この画像処理装置には、予め、図７（ｂ）に示すような平面基準パターンｄ３の各基準点Ｐの座標値の集合からなるデータ（例えば、基準点Ｐ１１、Ｐ１２、Ｐ１３、Ｐ１４の座標値（ｘ１１、ｙ１１）、（ｘ１２、ｙ１２）、（ｘ１３、ｙ１３）、（ｘ１４、ｙ１４））が記録されており、基準ボトル投影パターンＤ３の各基準点Ｐの座標値の集合からなるデータについても同様に画像処理装置に記録される。ここで、図７（ａ）に示す点Ｐ１、Ｐ２、Ｐ３、Ｐ４は、図７（ｂ）の点Ｐ１１、Ｐ１２、Ｐ１３、Ｐ１４にそれぞれ対応する。次に、画像処理装置は、基準ボトル投影パターンＤ３の各基準点Ｐ１、Ｐ２、Ｐ３、Ｐ４の座標値と、平面基準パターンｄ３の対応する各基準点Ｐ１１、Ｐ１２、Ｐ１３、Ｐ１４の座標値とから、各基準点Ｐの対応関係を求める。これにより、各基準点Ｐにおける、基準ボトル投影パターンＤ３を平面基準パターンｄ３へ変換する補正係数が求められる。
【００７２】
この際、ボトル絵柄Ｄ１の形状精度を向上させるために、基準点Ｐ１、Ｐ２、Ｐ３、Ｐ４によって囲まれた領域内の任意の点Ｐｘについての補正係数を求めても良い。絵柄は、着色された点の集合体と考えることができるため、基準ボトル投影パターンＤ３上の点が平面基準パターンｄ３上において、どの位置に対応するかが判明すれば、絵柄付プリフォーム７００に対してブロー成形を施した際に、歪みのないボトル絵柄Ｄ１を形成することが可能なプリフォーム絵柄ｄ１を得ることができる。点Ｐｘについては、例えば以下のようにして、基準点Ｐ１１、Ｐ１２、Ｐ１３、Ｐ１４によって囲まれる領域内の対応する点Ｐ１ｘを求めても良い。
【００７３】
まず、図８（ａ）に示すように、基準点Ｐ１、Ｐ２、Ｐ３、Ｐ４を結び、四角形Ｐ１Ｐ２Ｐ３Ｐ４を作成する。次に、直線Ｐ１Ｐ２の延長線と直線Ｐ３Ｐ４の延長線との交点Ａと、点Ｐｘとを直線で結び、点Ｐｘが、この直線の四角形Ｐ１Ｐ２Ｐ３Ｐ４内の部分を分割する比ｍ：ｎを求める。また、直線Ｐ１Ｐ４の延長線と直線Ｐ２Ｐ３の延長線との交点Ｂと、点Ｐｘとを直線で結び、点Ｐｘが、この直線の四角形Ｐ１Ｐ２Ｐ３Ｐ４内の部分を分割する比ｑ：ｒを求める。一方、図８（ｂ）に示すように、基準点Ｐ１１、Ｐ１２、Ｐ１３、Ｐ１４によって作成される四角形Ｐ１１Ｐ１２Ｐ１３Ｐ１４においては、辺Ｐ１１Ｐ１２および辺Ｐ１３Ｐ１４をそれぞれｍ：ｎに分割する二点ＣＤを結ぶ直線と、辺Ｐ１１Ｐ１４および辺Ｐ１２Ｐ１３をそれぞれｑ：ｒに分割する二点ＥＦを結ぶ直線と、を引き、これらの直線の交点を点Ｐ１ｘとすることができる。なお、四角形Ｐ１Ｐ２Ｐ３Ｐ４の対辺（例えば辺Ｐ１Ｐ４及び辺Ｐ２Ｐ３）が平行な場合、交点Ｂを求めることができなくなるが、この場合は、図８（ｃ）に示すように、点Ｐｘを通り、辺Ｐ１Ｐ４および辺Ｐ２Ｐ３に平行な直線を考えることができる。この際、交点Ａおよび交点Ｂの両方を求めることができない場合においても、同様の方法により補正係数を求めることができる。このような各基準点Ｐにおける対応関係を用いて、任意の点においても補正係数を求めることができる。
【００７４】
次いで、基準ボトル投影パターンＤ３上に、ボトル絵柄Ｄ１を作成する（図５Ａの符号Ｓ６）。この際、ボトル絵柄Ｄ１は、図示しない画像処理装置において、基準ボトル投影パターンＤ３を含むレイヤーとは異なるレイヤーに作成されることが好ましい。これにより、基準ボトル投影パターンＤ３が含まれていないボトル絵柄Ｄ１を作成することができる。この場合、例えば図９（ａ）に示す例においては、基準ボトル１０１の軸線方向に対応する方向に沿って、歪みのない文字「ａｂｃ」が設けられ、基準ボトル１０１の円周方向に対応する方向に沿って、歪みのない文字「ＡＢＣ」が設けられる。
【００７５】
次に、ボトル絵柄Ｄ１に基づいて、補正係数を用いて平面絵柄ｄ５を得る（図５Ａの符号Ｓ７）。この場合、補正係数を用いて、ボトル絵柄Ｄ１の点のうち、基準ボトル投影パターンＤ３の各基準点Ｐに対応する点の座標値が、平面基準パターンｄ３の対応する基準点Ｐの座標値となるように、ボトル絵柄Ｄ１を平面絵柄ｄ５へ変換する。このようにして、投影面Ｓ上に作成されたボトル絵柄Ｄ１が、補正係数を用いて補正され、図９（ｂ）に示すように、点の集合体であるボトル絵柄Ｄ１に対応する平面絵柄ｄ５が得られる。この場合、基準プリフォーム７０１の軸線方向に対応する方向に沿って、歪んだ文字「ａｂｃ」が設けられ、基準プリフォーム７０１の円周方向に対応する方向に沿って、歪んだ文字「ＡＢＣ」が設けられる。
【００７６】
次に、平面絵柄ｄ５をプリフォーム１０ａに印刷することにより、プリフォーム絵柄ｄ１を得る（図５Ａの符号Ｓ８）。このようにして、プリフォーム絵柄ｄ１が作成される。
【００７７】
（絵柄付プリフォームおよび絵柄付ボトルの製造方法）
次に、図１０により、本実施の形態による絵柄付ボトルの製造方法について説明する。
【００７８】
まず、プラスチック材料製のプリフォーム１０ａを準備する（図１０の符号Ｓ１１）。
【００７９】
次に、上述したプリフォーム絵柄ｄ１の作成方法によって、プリフォーム１０ａにプリフォーム絵柄ｄ１を形成する（図１０の符号Ｓ１２）。この場合、プリフォーム絵柄ｄ１は、例えばインクジェット法等の印刷法によりプリフォーム１０ａに印刷される。このようにして、絵柄付プリフォーム７００が作製される（図２参照）。
【００８０】
このように、予めプリフォーム１０ａにプリフォーム絵柄ｄ１を形成し、絵柄付プリフォーム７００を作製しておくことにより、絵柄付プリフォーム７００を作製する一連の工程（図５Ａ乃至図１０の符号Ｓ１１、Ｓ１２）と、絵柄付ボトル１００をブロー成形により作製する一連の工程（図１０の符号Ｓ１３、Ｓ１４）とを別々の場所（工場等）で実施することが可能になる。
【００８１】
次いで、絵柄付プリフォーム７００を、図示しない加熱装置によって加熱した後、図示しないブロー成形金型に送る（図１０の符号Ｓ１３）。
【００８２】
次に、絵柄付プリフォーム７００内に空気が圧入され、絵柄付プリフォーム７００に対して二軸延伸ブロー成形が施される（図１０の符号Ｓ１４）。このようにして、絵柄付ボトル１００が得られる。
【００８３】
ここで、絵柄付プリフォーム７００に対して二軸延伸ブロー成形が施され、絵柄付ボトル１００が作製される際、絵柄付プリフォーム７００のプリフォーム１０ａは、基準プリフォーム７０１に対して二軸延伸ブロー成形が施され、基準ボトル１０１が作製される際と同様の延伸倍率によって膨張する。このため、絵柄付プリフォーム７００に形成された、歪んだ文字から構成されたプリフォーム絵柄ｄ１は、歪みが補正され、絵柄付ボトル１００に、歪みのない文字から構成されたボトル絵柄Ｄ１が形成される。
【００８４】
このように、本実施の形態によれば、基準ボトル１０１の基準ボトル投影パターンＤ３と、平面基準パターンｄ３とから、基準ボトル投影パターンＤ３を平面基準パターンｄ３へ変換する補正係数を求め、基準ボトル投影パターンＤ３上にボトル絵柄Ｄ１を作成し、ボトル絵柄Ｄ１に基づいて、補正係数を用いて平面絵柄ｄ５を得ている。そして、平面絵柄ｄ５をプリフォーム１０ａに印刷することにより、プリフォーム絵柄ｄ１を得ている。これにより、プリフォーム１０ａに印刷を施した場合においても、歪みのない絵柄を絵柄付ボトル１００に設けることができる。このため、絵柄付ボトル１００の外観を良好にし、意匠性を向上させることができる。
【００８５】
また、本実施の形態によれば、補正係数を求める工程において、補正係数は、複数の基準点Ｐの変位量に基づいて決定される。これにより、補正係数を容易に求めることができる。
【００８６】
さらに、本実施の形態によれば、プリフォーム１０ａにプリフォーム絵柄ｄ１が形成されている。これにより、容器本体１０の胴部に減圧吸収パネル等の凹凸や意匠性をもつ模様等の凹凸が付与される場合であっても、当該凹凸の形状にボトル絵柄Ｄ１を追従させることができる。また、プリフォーム１０ａにプリフォーム絵柄ｄ１が形成されているため、容器の周囲にラベル等の包装資材を付与する必要がなく、包装資材を削減でき、かつ、包装資材を付与するための包装機械が不要になるとともに、当該包装機械を設置する工数を削減できる。さらに、平面絵柄ｄ５をプリフォーム１０ａに印刷することによりプリフォーム１０ａにプリフォーム絵柄ｄ１を形成する際、一般的な印刷機をそのまま用いることができるので、プリフォーム絵柄ｄ１を形成するための新たな印刷機を準備する必要が生じない。
【００８７】
なお、上述した実施の形態において、絵柄付ボトル１００にプリフォーム絵柄ｄ１から作成されたボトル絵柄Ｄ１のみが形成されている例について説明したが、これに限られることはない。すなわち、絵柄付ボトル１００にプリフォーム絵柄ｄ１から作成されたボトル絵柄Ｄ１以外の絵柄が形成されていても良い。この場合、絵柄付ボトル１００を作製した後に、例えばインクジェット法等の印刷法により追加の絵柄を形成しても良く、例えばシールやラベル等により、追加の絵柄を形成しても良い。これにより、例えば、絵柄付ボトル１００を販売する地域や言語の異なる国毎に、記載する表示を変更することが容易になる。
【００８８】
また、本実施の形態において、投影面Ｓが平面である例について説明したが、これに限られることはない。例えば、投影面Ｓは円筒面であっても良い。この場合、まず、図１１（ａ）に示すように、平面状の投影面Ｓａを準備する。次に、図１１（ｂ）に示すように、この投影面Ｓａに基準ボトルパターンＤ２を投影する。この際、基準ボトル１０１を回転させながら、投影面Ｓａに基準ボトルパターンＤ２を投影する。この場合、例えばカメラにより、基準ボトル１０１が１°回転するごとに基準ボトル１０１の正面画像を撮影する。このようにして、図１１（ｃ）に示すように、基準ボトル１０１のうち、容器本体１０の首部１３、肩部１２および胴部２０に対応する部分が投影された仮想円筒面（投影面Ｓ）を得ることができる。次いで、図１１（ｄ）に示すように、円筒面の投影面Ｓに投影された基準ボトル投影パターンＤ３を平面上に展開し、図７及び図８に示す方法により、補正係数を求める。この場合、基準ボトル１０１のうち、容器本体１０の首部１３、肩部１２および胴部２０に対応する部分に対する基準ボトル投影パターンＤ３を得ることができるため、ボトル絵柄Ｄ１の形状精度を向上させることができる。なお、絵柄付ボトル１００の底部３０にボトル絵柄Ｄ１を形成する場合には、絵柄付ボトル１００の軸線方向に垂直な平面を投影面とし、当該投影面に基準ボトルパターンＤ２を投影するようにしても良い。この場合においても、図７及び図８に示す方法により、補正係数を求めることができ、補正されたプリフォーム絵柄ｄ１を得ることができる。
【００８９】
さらに、プリフォーム絵柄ｄ１を作成する際に、例えば基準ボトル投影パターンＤ３における四角形Ｐ１Ｐ２Ｐ３Ｐ４に対応する、平面基準パターンｄ３における四角形Ｐ１１Ｐ１２Ｐ１３Ｐ１４の延伸倍率を求めて、プリフォーム絵柄ｄ１の色の濃淡を調整しても良い。上述したように、絵柄付プリフォーム７００から絵柄付ボトル１００を作製する際に、プリフォーム１０ａの胴部２０ａおよび底部３０ａにおいて延伸倍率が異なる領域が発生する。ここで、延伸倍率が大きい領域においては、プリフォーム絵柄ｄ１がより広範囲に延伸し、プリフォーム絵柄ｄ１の色が薄くなる。このため、延伸倍率が大きい領域と延伸倍率が小さい領域との間で色の濃淡に差が生じ、意匠性が低下する場合がある。これに対して、延伸倍率を求めてプリフォーム絵柄ｄ１の色の濃淡を調整することにより、延伸倍率が大きい領域においてはプリフォーム絵柄ｄ１の色を濃くし、延伸倍率が大きい領域と延伸倍率が小さい領域との間において色の濃淡に差が生じることを抑制し、意匠性が低下することを抑制することができる。なお、この際、延伸倍率が小さい領域のプリフォーム絵柄ｄ１の色を薄くしても良い。この場合においても、延伸倍率が大きい領域と延伸倍率が小さい領域との間において色の濃淡に差が生じることを抑制することができる。
【００９０】
上記実施の形態および変形例に開示されている複数の構成要素を必要に応じて適宜組合せることも可能である。あるいは、上記実施の形態および変形例に示される全構成要素から幾つかの構成要素を削除してもよい。
【符号の説明】
【００９１】
１０ａ    プリフォーム
１１ａ    口部
２０ａ    胴部
３０ａ    底部
１００    絵柄付ボトル
１０１    基準ボトル
７００    絵柄付プリフォーム
７０１    基準プリフォーム
Ｄ１      ボトル絵柄
ｄ１      プリフォーム絵柄
Ｄ２      基準ボトルパターン
ｄ２      基準プリフォームパターン
Ｄ３      基準ボトル投影パターン
ｄ３      平面基準パターン
ｄ４      基準プリフォーム投影パターン
ｄ５      平面絵柄
Ｐ、Ｐ１、Ｐ２、Ｐ３、Ｐ４、Ｐ１１、Ｐ１２、Ｐ１３、Ｐ１４  基準点
Ｓ        投影面
ＳＡ      平面
Ｓａ      投影面
【図１】
2019126945.tif 000003
【図２】
2019126945.tif 000004
【図３】
2019126945.tif 000005
【図４Ａ】
2019126945.tif 000006
【図４Ｂ】
2019126945.tif 000007
【図４Ｃ】
2019126945.tif 000008
【図５Ａ】
2019126945.tif 000009
【図５Ｂ】
2019126945.tif 000010
【図６】
2019126945.tif 000011
【図７】
2019126945.tif 000012
【図８】
2019126945.tif 000013
【図９】
2019126945.tif 000014
【図１０】
2019126945.tif 000015
【図１１】
2019126945.tif 000016